(57)【要約】  長年にわたり、多数の有害生物防除剤が使用されているが、効力が不十分である、害虫等が抵抗性を獲得しその使用が制限されるなど、種々の課題を有するものが少なくない。従って、かかる欠点の少ない新規な有害生物防除剤の開発が望まれている。本発明の目的は、有害生物に対して高活性な化合物又はその塩を提供することである。本発明は、下記式（Ｉ）で表されるＮ−（４−ピリジル）ニコチンアミド化合物又はその塩に関する。  【化１】2018199175.tif 000021〔式（Ｉ）中、各置換基は明細書参照〕
2018199175.tif 000002
【特許請求の範囲】
【請求項１】
式（Ｉ）：
【化１】
2018199175.tif 000020
〔式（Ｉ）中、Ｒ１は水素原子、ハロゲン原子、アルキル、ハロアルキル、アルコキシ、ハロアルコキシ、アリールオキシ又はハロアルキルアリールであり；
Ｒ２はハロゲン原子、アルキル、ハロアルキル、アルコキシ、ハロアルコキシ、アミノ、モノアルキルアミノ、ジアルキルアミノ、アリールオキシ、シアノ、アルキルチオ、アルキルスルフィニル又はアルキルスルホニルであり；
Ｒ３は水素原子、アルキル、シクロアルキル、ハロアルキル、アルコキシ、アルコキシアルキル、アルキルカルボニル又はアルコキシカルボニルであり；
Ｒ４はハロゲン原子、ニトロ、アルキル、アルケニル、アルキニル、ハロアルキル、アルコキシ、アルキルチオ、アルキルカルボニル、ハロアルキルカルボニル、シクロアルキルカルボニル、アルコキシカルボニル、（アルキルチオ）カルボニル又はピラゾリルであり；
ｍは０〜３の整数であり；
前記Ｒ２が複数存在する場合、前記Ｒ２はそれぞれ同一でも異なっていてもよい。〕
で表されるＮ−（４−ピリジル）ニコチンアミド化合物又はその塩。
【請求項２】
前記式（Ｉ）において、Ｒ１が水素原子、ハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、モノアルキルアミノ、ジアルキルアミノ、シアノ、アルキルチオ、アルキルスルフィニル又はアルキルスルホニルであり；
Ｒ３が水素原子、アルキル、シクロアルキル、アルコキシ、アルコキシアルキル、アルキルカルボニル又はアルコキシカルボニルであり；
Ｒ４がハロゲン原子、ニトロ、アルキル、アルケニル、ハロアルキル、アルコキシ、アルキルチオ、アルキルカルボニル、ハロアルキルカルボニル、アルコキシカルボニル、（アルキルチオ）カルボニル又はピラゾリルであり；
ｍが０又は１である、請求項１に記載の化合物又はその塩。
【請求項３】
前記式（Ｉ）において、Ｒ１が水素原子、ハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、シアノ、アルキルチオ、アルキルスルフィニル又はアルキルスルホニルであり；
Ｒ３が水素原子、アルキル、シクロアルキル、アルコキシ又はアルコキシカルボニルであり；
Ｒ４がハロゲン原子、ニトロ、アルキル、アルケニル、ハロアルキル、アルコキシ、アルキルチオ、アルキルカルボニル、アルコキシカルボニル、（アルキルチオ）カルボニル又はピラゾリルであり；
ｍが０又は１である、請求項１に記載の化合物又はその塩。
【請求項４】
前記式（Ｉ）において、Ｒ１がハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、シアノ、アルキルチオ、アルキルスルフィニル又はアルキルスルホニルであり；
Ｒ３が水素原子、アルキル、シクロアルキル、アルコキシ又はアルコキシカルボニルであり；
Ｒ４がニトロ、アルキル、アルケニル、ハロアルキル、アルコキシ、アルキルチオ、アルキルカルボニル、アルコキシカルボニル、（アルキルチオ）カルボニル又はピラゾリルであり；
ｍが０又は１である、請求項１に記載の化合物又はその塩。
【請求項５】
請求項１に記載の化合物又はその塩を有効成分として含有する有害生物防除剤。
【請求項６】
請求項１に記載の化合物又はその塩を有効成分として含有する農園芸用殺虫剤、殺ダニ剤、殺線虫剤又は殺土壌害虫剤。
【請求項７】
請求項１に記載の化合物又はその塩の有効量を施用して有害生物を防除する方法。
【発明の詳細な説明】
【技術分野】
【０００１】
本発明は、新規なＮ−（４−ピリジル）ニコチンアミド化合物又はその塩に関する。
また、本発明は、該化合物又はその塩を有効成分として含有する有害生物防除剤、農園芸用殺虫剤、殺ダニ剤、殺線虫剤又は殺土壌害虫剤に関する。
さらに、本発明は、該化合物又はその塩の有効量を施用して有害生物を防除する方法に関する。
【背景技術】
【０００２】
特許文献１には、殺虫剤用途の広範囲なヘテロアリールアミド化合物が記載されており、特許文献２には、医薬用途の広範囲なピリジン骨格を有する化合物が記載されている。
また、特許文献３には、医薬用途の広範囲なヘテロアリールアミド化合物が記載されている。
【先行技術文献】
【特許文献】
【０００３】
【特許文献１】国際公開第２００２／０７０４８３号
【特許文献２】国際公開第２００５／１１５９８６号
【特許文献３】日本国特開２００３−７３３５７号公報
【発明の概要】
【発明が解決しようとする課題】
【０００４】
長年にわたり、多数の有害生物防除剤が使用されているが、効力が不十分である、害虫等が抵抗性を獲得しその使用が制限されるなど、種々の課題を有するものが少なくない。
従って、かかる欠点の少ない新規な有害生物防除剤の開発が望まれている。【０００５】
そこで、本発明の目的は、有害生物に対して高活性な化合物又はその塩を提供すること、該化合物又はその塩を用いた有害生物防除剤、農園芸用殺虫剤、殺ダニ剤、殺線虫剤又は殺土壌害虫剤を提供すること、該化合物又はその塩を施用して有害生物を防除する方法を提供することである。【０００６】
なお、特許文献１に記載の化合物及び特許文献２に記載の化合物は、本発明化合物とは区別される。また、特許文献３に記載の化合物は、後記式（Ｉ）において、Ｒ４が水素原子のものの具体的な記載があるにとどまる。
【課題を解決するための手段】
【０００７】
本発明者らは、より優れた有害生物防除剤を見出すべく、ピリジン化合物につき種々検討した。その結果、新規なＮ−（４−ピリジル）ニコチンアミド化合物又はその塩が、低薬量で有害生物に対して極めて高い防除効果を有することを見出し、本発明を完成した。【０００８】
即ち、本発明は、下記に関する。【０００９】
［１］式（Ｉ）：【００１０】
【化１】
2018199175.tif 000003
【００１１】
〔式（Ｉ）中、Ｒ１は水素原子、ハロゲン原子、アルキル、ハロアルキル、アルコキシ、ハロアルコキシ、アリールオキシ又はハロアルキルアリールであり；
Ｒ２はハロゲン原子、アルキル、ハロアルキル、アルコキシ、ハロアルコキシ、アミノ、モノアルキルアミノ、ジアルキルアミノ、アリールオキシ、シアノ、アルキルチオ、アルキルスルフィニル又はアルキルスルホニルであり；
Ｒ３は水素原子、アルキル、シクロアルキル、ハロアルキル、アルコキシ、アルコキシアルキル、アルキルカルボニル又はアルコキシカルボニルであり；
Ｒ４はハロゲン原子、ニトロ、アルキル、アルケニル、アルキニル、ハロアルキル、アルコキシ、アルキルチオ、アルキルカルボニル、ハロアルキルカルボニル、シクロアルキルカルボニル、アルコキシカルボニル、（アルキルチオ）カルボニル又はピラゾリルであり；
ｍは０〜３の整数であり；
前記Ｒ２が複数存在する場合、前記Ｒ２はそれぞれ同一でも異なっていてもよい。〕で表されるＮ−（４−ピリジル）ニコチンアミド化合物又はその塩。
［２］前記式（Ｉ）において、Ｒ１が水素原子、ハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、モノアルキルアミノ、ジアルキルアミノ、シアノ、アルキルチオ、アルキルスルフィニル又はアルキルスルホニルであり；
Ｒ３が水素原子、アルキル、シクロアルキル、アルコキシ、アルコキシアルキル、アルキルカルボニル又はアルコキシカルボニルであり；
Ｒ４がハロゲン原子、ニトロ、アルキル、アルケニル、ハロアルキル、アルコキシ、アルキルチオ、アルキルカルボニル、ハロアルキルカルボニル、アルコキシカルボニル、（アルキルチオ）カルボニル又はピラゾリルであり；
ｍが０又は１である、前記［１］に記載の化合物又はその塩。
［３］前記式（Ｉ）において、Ｒ１が水素原子、ハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、シアノ、アルキルチオ、アルキルスルフィニル又はアルキルスルホニルであり；
Ｒ３が水素原子、アルキル、シクロアルキル、アルコキシ又はアルコキシカルボニルであり；
Ｒ４がハロゲン原子、ニトロ、アルキル、アルケニル、ハロアルキル、アルコキシ、アルキルチオ、アルキルカルボニル、アルコキシカルボニル、（アルキルチオ）カルボニル又はピラゾリルであり；
ｍが０又は１である、前記［１］に記載の化合物又はその塩。
［４］前記式（Ｉ）において、Ｒ１がハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、モノアルキルアミノ、ジアルキルアミノ、シアノ、アルキルチオ、アルキルスルフィニル又はアルキルスルホニルであり；
Ｒ３が水素原子、アルキル、シクロアルキル、アルコキシ、アルコキシアルキル、アルキルカルボニル又はアルコキシカルボニルであり；
Ｒ４がニトロ、アルキル、アルケニル、ハロアルキル、アルコキシ、アルキルチオ、アルキルカルボニル、ハロアルキルカルボニル、アルコキシカルボニル、（アルキルチオ）カルボニル又はピラゾリルであり；
ｍが０又は１である、前記［１］に記載の化合物又はその塩。
［５］前記式（Ｉ）において、Ｒ１がハロゲン原子、アルキル、ハロアルキル、アルコキシ、ハロアルコキシ、アリールオキシ又はハロアルキルアリールであり；
Ｒ２がハロゲン原子、アルキル、ハロアルキル、アルコキシ、アミノ、シアノ、アルキルチオ、アルキルスルフィニル又はアルキルスルホニルであり；
Ｒ３が水素原子、アルキル、シクロアルキル、アルコキシ又はアルコキシカルボニルであり；
Ｒ４がニトロ、アルキル、アルケニル、ハロアルキル、アルコキシ、アルキルチオ、アルキルカルボニル、アルコキシカルボニル、（アルキルチオ）カルボニル又はピラゾリルであり；
ｍが０又は１である、前記［１］に記載の化合物又はその塩。
［６］前記式（Ｉ）において、Ｒ１がハロゲン原子、アルキル、ハロアルキル、アルコキシ又はハロアルコキシであり；
Ｒ２がハロゲン原子、アルキル、ハロアルキル、アルコキシ、ハロアルコキシ、アミノ、モノアルキルアミノ又はジアルキルアミノであり；
Ｒ３が水素原子、アルキル、アルコキシアルキル、アルキルカルボニル又はアルコキシカルボニルであり；
Ｒ４がハロゲン原子、ニトロ、アルキル、アルケニル、アルキニル、ハロアルキル、アルコキシ、アルキルチオ、アルキルカルボニル、ハロアルキルカルボニル、シクロアルキルカルボニル、アルコキシカルボニル、（アルキルチオ）カルボニル又はピラゾリルであり；
ｍが０〜３の整数であり；
前記Ｒ２が複数存在する場合、前記Ｒ２はそれぞれ同一でも異なっていてもよい、前記［１］に記載の化合物又はその塩。
［７］前記式（Ｉ）において、Ｒ１がハロゲン原子、アルキル、ハロアルキル、アルコキシ又はハロアルコキシであり；
Ｒ２がアルキル、ハロアルキル、アルコキシ、アミノ、モノアルキルアミノ又はジアルキルアミノであり；
Ｒ３が水素原子、アルキル、アルコキシアルキル、アルキルカルボニル又はアルコキシカルボニルであり；
Ｒ４がハロゲン原子、ニトロ、アルキル、ハロアルキル、アルコキシ、アルキルチオ、アルコキシカルボニル、（アルキルチオ）カルボニル又はピラゾリルであり；
ｍが０又は１である、前記［１］に記載の化合物又はその塩。
［８］前記式（Ｉ）において、Ｒ１がアルキル、ハロアルキル又はハロアルコキシであり；
Ｒ２がアルキル、ハロアルキル又はアミノであり；
Ｒ３が水素原子又は、アルキルであり；
Ｒ４がハロゲン原子、ニトロ、アルキル、アルコキシ、アルコキシカルボニル又はピラゾリルであり；
ｍが０又は１である、前記［１］に記載の化合物又はその塩。
［９］前記式（Ｉ）において、Ｒ１がハロアルキルであり；Ｒ３が水素原子、アルキル、シクロアルキル又はアルコキシであり；Ｒ4がアルキル、アルコキシ、アルキルカルボニル又はアルコキシカルボニルであり、ｍが０である、前記［１］〜［８］のいずれか１つに記載の化合物又はその塩。
［１０］前記式（Ｉ）において、Ｒ１が水素原子、ハロゲン原子、アルキル、ハロアルキル、アルコキシ、ハロアルコキシ、アリールオキシ又はハロアルキルアリールである［１］に記載の化合物又はその塩。
［１１］前記式（Ｉ）において、Ｒ１がアルキル、ハロアルキル又はハロアルコキシある［１］に記載の化合物又はその塩。
［１２］前記式（Ｉ）において、Ｒ２がハロゲン原子、アルキル、ハロアルキル、アルコキシ、アミノ、シアノ、アルキルチオ、アルキルスルフィニル又はアルキルスルホニルである［１］、［１０］又は［１１］のいずれか１つに記載の化合物又はその塩。
［１３］前記式（Ｉ）において、Ｒ２がアルキル、ハロアルキル又はアミノである［１］、［１０］〜［１２］のいずれか１つに記載の化合物又はその塩。
［１４］前記式（Ｉ）において、Ｒ３が水素原子、アルキル、シクロアルキル、アルコキシ又はアルコキシカルボニルである［１］、［１０］〜［１３］のいずれか１つに記載の化合物又はその塩。
［１５］前記式（Ｉ）において、Ｒ３が水素原子又はアルキルである［１］、［１０］〜［１４］のいずれか１つに記載の化合物又はその塩。
［１６］前記式（Ｉ）において、Ｒ4がハロゲン原子、ニトロ、アルキル、アルケニル、ハロアルキル、アルコキシ、アルキルチオ、アルキルカルボニル、アルコキシカルボニル、（アルキルチオ）カルボニル又はピラゾリルである［１］、［１０］〜［１５］のいずれか１つに記載の化合物又はその塩。
［１７］前記式（Ｉ）において、Ｒ4がハロゲン原子、ニトロ、アルキル、アルコキシ、アルコキシカルボニル、（アルキルチオ）カルボニル又はピラゾリルである［１］、［１０］〜［１６］のいずれか１つに記載の化合物又はその塩。
［１８］前記式（Ｉ）において、ｍが０又は１である［１］、［１０］〜［１７］のいずれか１つに記載の化合物又はその塩。
［１９］前記式（Ｉ）において、Ｒ１がハロゲン原子、アルキル、ハロアルキル、アルコキシ又はハロアルコキシであり；Ｒ２がアルキル、ハロアルキル、アルコキシ、アミノ、モノアルキルアミノ又はジアルキルアミノであり；Ｒ３が水素原子、アルキル、アルコキシアルキル、アルキルカルボニル又はアルコキシカルボニルであり；Ｒ４がハロゲン原子、ニトロ、アルキル、ハロアルキル、アルコキシ、アルキルチオ、アルコキシカルボニル、（アルキルチオ）カルボニル又はピラゾリルであり；ｍは０又は１である［６］に記載の化合物又はその塩。
［２０］前記式（Ｉ）において、Ｒ１がアルキル、ハロアルキル又はハロアルコキシであり；Ｒ２がアルキル、ハロアルキル又はアミノであり；Ｒ３が水素原子又はアルキルであり；Ｒ４がハロゲン原子、ニトロ、アルキル、アルコキシ、アルコキシカルボニル又はピラゾリルであり；ｍが０又は１である［６］に記載の化合物又はその塩。
［２１］前記［１］〜［２０］のいずれか１つに記載の化合物又はその塩を有効成分として含有する有害生物防除剤。
［２２］前記［１］〜［２０］のいずれか１つに記載の化合物又はその塩を有効成分として含有する農園芸用殺虫剤、殺ダニ剤、殺線虫剤又は殺土壌害虫剤。
［２３］前記［１］〜［２０］のいずれか１つに記載の化合物又はその塩を有効成分として含有する農園芸用殺虫剤。
［２４］前記［１］〜［２０］のいずれか１つに記載の化合物又はその塩の有効量を施用して有害生物を防除する方法。
【発明の効果】
【００１２】
前記式（Ｉ）で表される化合物又はその塩を有効成分とする有害生物防除剤は、低薬量で有害生物に対して極めて高い防除効果を有する。
【発明を実施するための形態】
【００１３】
以下、本発明について詳述するが、これらは望ましい実施態様の一例を示すものであり、本発明はこれらの内容に特定されるものではない。
なお、本明細書において、「Ｃｎ」（ｎは自然数）とは「炭素数ｎ」（ｎは自然数）と同義である。濃度として“ｐｐｍ”と記載した場合は、“重量ｐｐｍ”のことを示す。
【００１４】
本発明は下記式（Ｉ）で表されるＮ−（４−ピリジル）ニコチンアミド化合物又はその塩（以下、まとめて「本発明化合物」と称することがある。）に関する。
【００１５】
【化２】
2018199175.tif 000004
【００１６】
〔式（Ｉ）中、Ｒ１は水素原子、ハロゲン原子、アルキル、ハロアルキル、アルコキシ、ハロアルコキシ、アリールオキシ又はハロアルキルアリールであり；
Ｒ２はハロゲン原子、アルキル、ハロアルキル、アルコキシ、ハロアルコキシ、アミノ、モノアルキルアミノ、ジアルキルアミノ、アリールオキシ、シアノ、アルキルチオ、アルキルスルフィニル又はアルキルスルホニルであり；
Ｒ３は水素原子、アルキル、シクロアルキル、ハロアルキル、アルコキシ、アルコキシアルキル、アルキルカルボニル又はアルコキシカルボニルであり；
Ｒ４はハロゲン原子、ニトロ、アルキル、アルケニル、アルキニル、ハロアルキル、アルコキシ、アルキルチオ、アルキルカルボニル、ハロアルキルカルボニル、シクロアルキルカルボニル、アルコキシカルボニル、（アルキルチオ）カルボニル又はピラゾリルであり；
ｍは０〜３の整数であり；
前記Ｒ２が複数存在する場合、前記Ｒ２はそれぞれ同一でも異なっていてもよい。〕
【００１７】
前記式（Ｉ）中のハロゲン原子又は置換基としてのハロゲンとしては、フッ素、塩素、臭素又はヨウ素の各原子が挙げられる。置換基としてのハロゲン原子の数は１又は２以上であってよく、２以上の場合、各ハロゲン原子は同一でも相異なってもよい。また、ハロゲン原子の置換位置は何れの位置でもよい。
【００１８】
なお、本明細書中で用いられる「ハロアルキル」とは、アルキルに含まれる少なくとも１つの水素原子がハロゲン原子で置換されたアルキルを意味する。
「ハロアルコキシ」、「ハロアルキルアリール」又は「ハロアルキルカルボニル」についても同様に、各基に含まれる少なくとも１つの水素原子がハロゲン原子で置換されたアルコキシ、アルキルアリール又はアルキルカルボニルをそれぞれ意味する。これらハロアルキル、ハロアルコキシ、ハロアルキルアリール又はハロアルキルカルボニルにおいて、水素原子から置換されたハロゲン原子を「置換基としてのハロゲン」と称する。
【００１９】
前記式（Ｉ）中のアルキル又はアルキル部分としては、例えば、メチル、エチル、ノルマルプロピル、イソプロピル、ノルマルブチル、イソブチル、セカンダリーブチル、ターシャリーブチル、ノルマルペンチル、イソペンチル、ネオペンチル、ノルマルヘキシル又はネオヘキシルのような直鎖又は分岐鎖状のＣ１〜Ｃ６の基が挙げられる。
【００２０】
前記式（Ｉ）中のアルケニル又はアルケニル部分としては、例えば、ビニル、１−プロペニル、２−プロペニル、イソプロペニル、２−メチル−１−プロペニル、１−メチル−１−プロペニル、２−メチル−２−プロペニル、１−メチル−２−プロペニル、１−ブテニル、２−ブテニル、３−ブテニル、１−ペンテニル、２−ペンテニル、２−メチル−２−ブテニル、１−ヘキセニル又は２,３−ジメチル−２−ブテニルのような直鎖又は分岐鎖状のＣ２〜Ｃ６の基が挙げられる。
【００２１】
前記式（Ｉ）中のアルキニル又はアルキニル部分としては、例えば、エチニル、１−プロピニル、２−プロピニル、１−ブチニル、２−ブチニル、３−ブチニル、１−メチル−２−プロピニル、２−メチル−３−ブチニル、３，３−ジメチル−１−ブチニル、１−ヘキシニル、２−ヘキシニル、３−ヘキシニル、４−ヘキシニル又は５−ヘキシニルのような直鎖又は分岐鎖状のＣ２〜Ｃ６の基が挙げられる。
【００２２】
前記式（Ｉ）中のシクロアルキル又はシクロアルキル部分としては、例えば、シクロプロピル、シクロブチル、シクロペンチル又はシクロヘキシルのようなＣ３〜Ｃ６の基が挙げられる。
【００２３】
前記式（Ｉ）中のアリール又はアリール部分としては、例えば、フェニル、ナフチルのようなＣ６〜Ｃ１０の基が挙げられる。
【００２４】
前記式（Ｉ）で表される化合物の塩としては、当該技術分野で許容されるものであればあらゆるものが含まれるが、例えば、ジメチルアンモニウム塩、トリエチルアンモニウム塩のようなアンモニウム塩；塩酸塩、過塩素酸塩、硫酸塩、硝酸塩のような無機酸塩；酢酸塩、トリフルオロ酢酸塩、シュウ酸塩、ｐ-トルエンスルホン酸塩、メタンスルホン酸塩のような有機酸塩などが挙げられる。
【００２５】
本発明化合物には、光学異性体のような異性体が存在する場合があるが、本発明化合物には各異性体及び異性体混合物の双方が含まれる。本願明細書においては、特に言及しない限り、異性体は混合物として記載する。尚、本発明化合物には、当該技術分野における技術常識の範囲内において、前記したもの以外の各種異性体も含まれる。また、異性体の種類によっては、本発明化合物とは異なる化学構造となる場合があるが、当業者であればそれらが異性体の関係にあることが十分認識できる為、本発明の範囲内であることは明らかである。
【００２６】
本発明化合物は、以下の製造方法、並びに通常の塩の製造方法に従って製造することができるが、これらの方法に限定されるものではない。
【００２７】
製法〔１〕
前記式（Ｉ）で表される化合物は、下記式（ＩＩ）で表される化合物と下記式（ＩＩＩ）で表される化合物とを脱水縮合剤又は塩基の存在下で反応させることにより製造することができる。
なお、下記式（ＩＩ）で表される化合物及び下記式（ＩＩＩ）で表される化合物は、市販品を使用できる他、公知の方法にて製造できる。
【００２８】
【化３】
2018199175.tif 000005
【００２９】
（製法〔１〕における式中、Ｒ１、Ｒ２、Ｒ３、Ｒ４及びｍは前述のとおりである。）
【００３０】
脱水縮合剤としては、特に制限されないが、例えば１−エチル−３−（３−ジメチルアミノプロピル）カルボジイミド塩酸塩、１，３−ジシクロヘキシルカルボジイミド、Ｏ−（７−アザベンゾトリアゾール−１−イル）−Ｎ，Ｎ，Ｎ’，Ｎ’−テトラメチルウロニウムヘキサフルオロリン酸塩などが挙げられる。
【００３１】
該反応は、必要に応じて添加剤を加えて行うことができる。添加剤としては、例えば１−ヒドロキシベンゾトリアゾール、Ｎ−ヒドロキシコハク酸イミド、Ｎ，Ｎ−ジメチル−４−アミノピリジンなどが挙げられる。
【００３２】
塩基としては、特に制限されないが、例えばトリエチルアミン、４−メチルモルホリン、ジイソプロピルエチルアミンなどの第三級アミン類、１，８−ジアザビシクロ［５．４．０］−７−ウンデセン、ピリジン、４−（ジメチルアミノ）ピリジン、２，６−ルチジンなどが挙げられる。
【００３３】
該反応は、必要に応じて溶媒の存在下で行うことができる。溶媒としては、特に制限されないが、例えばジエチルエーテル、ブチルメチルエーテル、テトラヒドロフラン、エチレングリコールジメチルエーテル、１，４−ジオキサン、ジメトキシエタンなどのエーテル類；塩化メチレン、ジクロロエタン、クロロホルムなどの脂肪族ハロゲン化炭化水素類；ベンゼン、トルエン、キシレン、クロロベンゼンなどの芳香族炭化水素類；Ｎ，Ｎ−ジメチルホルムアミド、Ｎ，Ｎ−ジメチルアセトアミド、Ｎ−メチル−２−ピロリドン、ジメチルスルホキシド、スルホランなどの非プロトン性極性溶媒；アセトニトリル、プロピオニトリルなどのニトリル類；酢酸エチル、プロピオン酸エチルなどのエステル類；ペンタン、ヘキサン、ヘプタン、オクタン、シクロヘキサンなどの脂肪族炭化水素類；アセトン、エチルメチルケトンなどのケトン類；水；などから１種又は２種以上を適宜選択して、または混合して使用することができる。
【００３４】
反応温度は、通常約０℃から反応系内が加熱還流する温度の範囲で行うことができる。反応時間は、通常数分〜２４時間で行うことができる。
【００３５】
製法〔２〕
前記式（Ｉ）で表される化合物は、下記式（ＩＩ−ａ）で表される化合物と下記式（ＩＩＩ）で表される化合物とを塩基の存在下で反応させることにより製造することができる。
【００３６】
【化４】
2018199175.tif 000006
【００３７】
（製法〔２〕における式中、Ｒ１、Ｒ２、Ｒ３、Ｒ４及びｍは前述のとおりであり；Ｘはハロゲン原子である。）
【００３８】
塩基は、有機塩基でも無機塩基でもよい。有機塩基としては、特に制限されないが、例えばトリエチルアミン、ジイソプロピルエチルアミンのようなアミン塩基などが挙げられる。無機塩基としては、特に制限されないが、例えば炭酸ナトリウム、炭酸カリウム、炭酸セシウムのようなアルカリ金属炭酸塩などが挙げられる。
【００３９】
該反応は、必要に応じて溶媒の存在下で行うことができる。溶媒としては、特に制限されないが、例えばジエチルエーテル、ブチルメチルエーテル、テトラヒドロフラン、エチレングリコールジメチルエーテル、１，４−ジオキサン、ジメトキシエタンなどのエーテル類；塩化メチレン、ジクロロエタン、クロロホルムなどの脂肪族ハロゲン化炭化水素類；ベンゼン、トルエン、キシレン、クロロベンゼンなどの芳香族炭化水素類；Ｎ，Ｎ−ジメチルホルムアミド、Ｎ，Ｎ−ジメチルアセトアミド、Ｎ−メチル−２−ピロリドン、ジメチルスルホキシド、スルホランなどの非プロトン性極性溶媒；アセトニトリル、プロピオニトリルなどのニトリル類；酢酸エチル、プロピオン酸エチルなどのエステル類；ペンタン、ヘキサン、ヘプタン、オクタン、シクロヘキサンなどの脂肪族炭化水素類；アセトン、エチルメチルケトンなどのケトン類；水；などから１種又は２種以上を適宜選択して、または混合して使用することができる。
【００４０】
反応温度は、通常約０℃から反応系内が加熱還流する温度の範囲で行うことができる。反応時間は、通常数分〜２４時間で行うことができる。
【００４１】
前記式（ＩＩ−ａ）で表される化合物は、市販品を使用できる他、下記のスキームに示した通り、前記式（ＩＩ）で表される化合物をハロゲン化剤と反応させることにより製造することができる。
【００４２】
【化５】
2018199175.tif 000007
【００４３】
（上記式（ＩＩ−a）で表される化合物の製法における式中、Ｒ１、Ｒ２、Ｘ及びｍは前述のとおりである。）
【００４４】
ハロゲン化剤としては、特に制限されないが、例えば塩化チオニル、塩化オキサリル、塩化ホスホリル、塩化スルフリル、三塩化リン、五塩化リンなどが挙げられる。
【００４５】
該反応は、必要に応じて溶媒の存在下で行うことができる。溶媒としては、特に制限されないが、例えばジエチルエーテル、ブチルメチルエーテル、テトラヒドロフラン、エチレングリコールジメチルエーテル、１，４−ジオキサン、ジメトキシエタンなどのエーテル類；塩化メチレン、ジクロロエタン、クロロホルムなどの脂肪族ハロゲン化炭化水素類；ベンゼン、トルエン、キシレン、クロロベンゼンなどの芳香族炭化水素類；Ｎ，Ｎ−ジメチルホルムアミド、Ｎ，Ｎ−ジメチルアセトアミド、Ｎ−メチル−２−ピロリドン、ジメチルスルホキシド、スルホランなどの非プロトン性極性溶媒；アセトニトリル、プロピオニトリルなどのニトリル類；酢酸エチル、プロピオン酸エチルなどのエステル類；ペンタン、ヘキサン、ヘプタン、オクタン、シクロヘキサンなどの脂肪族炭化水素類；アセトン、エチルメチルケトンなどのケトン類；などから１種又は２種以上を適宜選択して、または混合して使用することができる。
【００４６】
反応温度は、通常約０℃から反応系内が加熱還流する温度の範囲で行うことができる。反応時間は、通常数分〜２４時間で行うことができる。
【００４７】
前記式（ＩＩＩ）で表される化合物は、下記式（ＩＩＩ−ａ）で表される化合物と下記式（ＩＶ）で表される化合物とを反応させることにより製造することができる。下記式（ＩＩＩ−ａ）で表される化合物及び下記式（ＩＶ）で表される化合物は、市販品を使用できる他、公知の方法にて製造できる。
【００４８】
【化６】
2018199175.tif 000008
【００４９】
（上記式（ＩＩＩ）で表される化合物の製法における式中、Ｒ３、Ｒ４、Ｘは前述のとおりである。）
【００５０】
該反応は、必要に応じて塩基の存在下で行うことができる。塩基としては、例えば水素化ナトリウムのようなアルカリ金属水素化物；炭酸ナトリウム、炭酸カリウム、炭酸セシウムのようなアルカリ金属炭酸塩；水酸化リチウム、水酸化ナトリウム、水酸化カリウムのようなアルカリ金属水酸化物；トリエチルアミン、４−メチルモルホリン、ジイソプロピルエチルアミンなどの第三級アミン類；１，８−ジアザビシクロ［５．４．０］−７−ウンデセン、ピリジン、４−（ジメチルアミノ）ピリジン、２，６−ルチジンなどが挙げられる。
【００５１】
該反応は、必要に応じて溶媒の存在下で行うことができる。溶媒は、特に制限されないが、例えばジエチルエーテル、ブチルメチルエーテル、テトラヒドロフラン、エチレングリコールジメチルエーテル、１，４−ジオキサン、ジメトキシエタンなどのエーテル類；塩化メチレン、ジクロロエタン、クロロホルムなどの脂肪族ハロゲン化炭化水素類；ベンゼン、トルエン、キシレン、クロロベンゼンなどの芳香族炭化水素類；Ｎ，Ｎ−ジメチルホルムアミド、Ｎ，Ｎ−ジメチルアセトアミド、Ｎ−メチル−２−ピロリドン、ジメチルスルホキシド、スルホランなどの非プロトン性極性溶媒；アセトニトリル、プロピオニトリルなどのニトリル類；酢酸エチル、プロピオン酸エチルなどのエステル類；ペンタン、ヘキサン、ヘプタン、オクタン、シクロヘキサンなどの脂肪族炭化水素類；アセトン、エチルメチルケトンなどのケトン類；水；などから１種又は２種以上を適宜選択して、または混合して使用することができる。
【００５２】
反応温度は、通常約０℃から反応系内が加熱還流する温度の範囲で行うことができる。反応時間は、通常数分〜２４時間で行うことができる。
【００５３】
本発明化合物を有効成分として含有する有害生物防除剤の望ましい態様について以下に記述する。
本発明化合物を有効成分として含有する有害生物防除剤は、例えば農園芸分野で問題となる害虫、ダニ、線虫又は土壌害虫の防除剤、即ち農園芸用殺虫剤、殺ダニ剤、殺線虫剤又は殺土壌害虫剤等として有用である。また、動物寄生生物の防除剤、即ち殺動物寄生生物剤として有用である。
【００５４】
本発明化合物は、モモアカアブラムシ、ワタアブラムシ等のようなアブラムシ類；コナガ、ヨトウムシ、ハスモンヨトウ、コドリンガ、ボールワーム、タバコバッドワーム、マイマイガ、コブノメイガ、チャノコカクモンハマキ、コロラドハムシ、ウリハムシ、ボールウィービル、トビイロウンカ等のようなウンカ類、ヨコバイ類、カイガラムシ類、カメムシ類、タバココナジラミ等のようなコナジラミ類、アザミウマ類、バッタ類、ハナバエ類、コガネムシ類、タマナヤガ、カブラヤガ、アリ類等のような農業害虫類；ナメクジ、マイマイ等のような腹足類；イエダニ、ゴキブリ類、イエバエ、アカイエカ等のような衛生害虫類；バクガ、アズキゾウムシ、コクヌストモドキ、ゴミムシダマシ類等のような貯穀害虫類；イガ、ヒメカツオブシムシ、シロアリ類等のような衣類、家屋害虫類；等の害虫、ナミハダニ、ニセナミハダニ、カンザワハダニ、ミカンハダニ、リンゴハダニ、チャノホコリダニ、ミカンサビダニ、ネダニ等のような植物寄生性ダニ類；ケナガコナダニ、コナヒョウダニ、ミナミツメダニ等のような屋内塵性ダニ類；等のダニ、ネコブセンチュウ類、シストセンチュウ類、ネグサレセンチュウ類、イネシンガレセンチュウ、イチゴメセンチュウ、マツノザイセンチュウ等のような植物寄生性線虫類；等の線虫、ダンゴムシ、ワラジムシのような等脚類；等の土壌害虫の防除に有効である。
【００５５】
本発明化合物を有効成分として含有する有害生物防除剤は、植物寄生性ダニ類、農業害虫類、植物寄生性線虫類等の防除に特に有効である。その中でも、植物寄生性ダニ類、農業害虫類の防除にさらに優れた効果を示すため、殺虫剤又は殺ダニ剤として非常に有用である。
【００５６】
また、本発明化合物を有効成分として含有する農園芸用殺虫剤、殺ダニ剤、殺線虫剤又は殺土壌害虫剤は、有機リン剤、カーバメート剤、合成ピレスロイド剤、ネオニコチノイド剤等の薬剤に対する各種抵抗性害虫の防除にも有効である。
【００５７】
さらに本発明化合物は、優れた浸透移行性を有していることから、本発明化合物を有効成分として含有する農園芸用殺虫剤、殺ダニ剤、殺線虫剤又は殺土壌害虫剤を土壌に処理することによって土壌有害昆虫類、ダニ類、線虫類、腹脚類、等脚類の防除と同時に茎葉部の害虫類をも防除することができる。
【００５８】
本発明化合物を有効成分として含有する有害生物防除剤の別の望ましい態様としては、前記した植物寄生性ダニ類、農業害虫類、植物寄生性線虫類、腹足類、土壌害虫類等を総合的に防除する農園芸用殺虫剤、殺ダニ剤、殺線虫剤又は殺土壌害虫剤が挙げられる。
【００５９】
本発明化合物を有効成分として含有する有害生物防除剤は、通常、該化合物と各種補助剤とを混合して粉剤、粒剤、顆粒水和剤、水和剤、水性懸濁剤、油性懸濁剤、顆粒水溶剤、水溶剤、乳剤、液剤、ペースト剤、エアゾール剤、微量散布剤等の種々の形態に製剤して使用されるが、本発明の目的に適合するかぎり、当該分野で通常用いられているあらゆる製剤形態にすることができる。
【００６０】
製剤に使用する補助剤としては、珪藻土、消石灰、炭酸カルシウム、タルク、ホワイトカーボン、カオリン、ベントナイト、カオリナイト、セリサイト、クレー、炭酸ナトリウム、重曹、芒硝、ゼオライト、澱粉等の固型担体；水、トルエン、キシレン、ソルベントナフサ、ジオキサン、アセトン、イソホロン、メチルイソブチルケトン、クロロベンゼン、シクロヘキサン、ジメチルスルホキシド、Ｎ,Ｎ−ジメチルホルムアミド、Ｎ,Ｎ−ジメチルアセトアミド、Ｎ−メチル−２−ピロリドン、アルコール等の溶剤；脂肪酸塩、安息香酸塩、アルキルスルホコハク酸塩、ジアルキルスルホコハク酸塩、ポリカルボン酸塩、アルキル硫酸エステル塩、アルキル硫酸塩、アルキルアリール硫酸塩、アルキルジグリコールエーテル硫酸塩、アルコール硫酸エステル塩、アルキルスルホン酸塩、アルキルアリールスルホン酸塩、アリールスルホン酸塩、リグニンスルホン酸塩、アルキルジフェニルエーテルジスルホン酸塩、ポリスチレンスルホン酸塩、アルキルリン酸エステル塩、アルキルアリールリン酸塩、スチリルアリールリン酸塩、ポリオキシエチレンアルキルエーテル硫酸エステル塩、ポリオキシエチレンアルキルアリールエーテル硫酸塩、ポリオキシエチレンアルキルアリールエーテル硫酸エステル塩、ポリオキシエチレンアルキルエーテルリン酸塩、ポリオキシエチレンアルキルアリールリン酸エステル塩、ナフタレンスルホン酸塩ホルムアルデヒド縮合物のような陰イオン系の界面活性剤；ソルビタン脂肪酸エステル、グリセリン脂肪酸エステル、脂肪酸ポリグリセライド、脂肪酸アルコールポリグリコールエーテル、アセチレングリコール、アセチレンアルコール、オキシアルキレンブロックポリマー、ポリオキシエチレンアルキルエーテル、ポリオキシエチレンアルキルアリールエーテル、ポリオキシエチレンスチリルアリールエーテル、ポリオキシエチレングリコールアルキルエーテル、ポリエチレングリコール、ポリオキシエチレン脂肪酸エステル、ポリオキシエチレンソルビタン脂肪酸エステル、ポリオキシエチレングリセリン脂肪酸エステル、ポリオキシエチレン硬化ヒマシ油、ポリオキシプロピレン脂肪酸エステルのような非イオン系の界面活性剤；オリーブ油、カポック油、ひまし油、シュロ油、椿油、ヤシ油、ごま油、トウモロコシ油、米ぬか油、落花生油、綿実油、大豆油、菜種油、亜麻仁油、きり油、液状パラフィン等の植物油や鉱物油；等が挙げられる。
【００６１】
これら補助剤の各成分は、本発明の目的から逸脱しないかぎり、１種又は２種以上を適宜選択して使用することができる。また、前記した補助剤以外にも当該分野で知られたものの中から適宜選んで使用することもでき、例えば、増量剤、増粘剤、沈降防止剤、凍結防止剤、分散安定剤、薬害軽減剤、防黴剤等、通常使用される各種補助剤も使用することができる。
【００６２】
本発明化合物と各種補助剤との配合割合（重量比）は０．００１：９９．９９９〜９５：５、望ましくは０．００５：９９．９９５〜９０：１０である。これら製剤の実際の使用に際しては、そのまま使用するか、又は水等の希釈剤で所定濃度に希釈し、必要に応じて各種展着剤（界面活性剤、植物油、鉱物油等）を添加して使用することができる。
【００６３】
本発明化合物を有効成分として含有する農園芸用殺虫剤、殺ダニ剤、殺線虫剤又は殺土壌害虫剤の施用は、気象条件、製剤形態、施用時期、施用場所、病害虫の種類や発生状況等の相違により一概に規定できないが、一般に０．０５〜８００，０００ｐｐｍ、望ましくは０．５〜５００，０００ｐｐｍの有効成分濃度で行ない、その単位面積あたりの施用量は、１ヘクタール当り本発明化合物が０．０５〜５０，０００ｇ、望ましくは１〜３０，０００ｇである。
【００６４】
また、本発明には、このような施用方法による有害生物の防除方法、中でも農園芸分野で問題となる害虫、ダニ、線虫又は土壌害虫の防除方法、特には植物寄生性ダニ類、農業害虫類、植物寄生性線虫類の防除方法も含まれる。
【００６５】
本発明化合物を有効成分として含有する有害生物防除剤の種々の製剤、又はその希釈物の施用は、通常、一般に行なわれている施用方法すなわち、散布（例えば、噴霧、ミスティング、アトマイジング、散粒、水面施用等）、土壌施用（混入、灌注等）、表面施用（塗布、粉衣、被覆等）、浸漬毒餌等により行うことができる。また、家畜に対して前記有効成分を飼料に混合して与え、その排泄物での有害虫、特に有害昆虫の発生及び生育を阻害することも可能である。また、いわゆる超高濃度少量散布法(ultra low volume application method)により施用することもできる。この方法においては、活性成分を１００％含有することが可能である。
【００６６】
また、本発明化合物を有効成分として含有する農園芸用殺虫剤、殺ダニ剤、殺線虫剤又は殺土壌害虫剤は、他の農薬、肥料、薬害軽減剤等と混用或は併用することができ、この場合に一層優れた効果、作用性を示すことがある。他の農薬としては、除草剤、殺虫剤、殺ダニ剤、殺線虫剤、殺土壌害虫剤、殺菌剤、抗ウイルス剤、誘引剤、抗生物質、植物ホルモン、植物成長調整剤等が挙げられる。特に、本発明化合物と他の農薬の有効成分化合物の１種又は２種以上とを混用或は併用した殺虫用組成物、殺ダニ用組成物、殺線虫用組成物又は殺土壌害虫用組成物は、適用範囲、薬剤処理の時期、防除活性等を好ましい方向へ改良することが可能である。尚、本発明化合物と他の農薬の有効成分化合物は各々別々に製剤したものを施用時に混合して使用しても、両者を一緒に製剤して使用してもよい。本発明には、このような殺虫用組成物、殺ダニ用組成物、殺線虫用組成物又は殺土壌害虫用組成物も含まれる。
【００６７】
上記他の農薬中の、殺虫剤、殺ダニ剤、殺線虫剤或いは殺土壌害虫剤の有効成分化合物（一般名；一部申請中を含む、又は日本植物防疫協会試験コード）としては、例えばプロフェノホス（profenofos）、ジクロルボス（dichlorvos）、フェナミホス（fenamiphos）、フェニトロチオン（fenitrothion）、ＥＰＮ（Ｏ−エチル−Ｏ−４−ニトロフェニルフェニルフォスフォノチオエート、O-ethyl O-4-nitrophenyl phenylphosphonothioate）、ダイアジノン（diazinon）、クロルピリホス(chlorpyrifos)、クロルピリホスメチル（chlorpyrifos‐methyl）、アセフェート（acephate）、プロチオホス（prothiofos）、ホスチアゼート（fosthiazate）、カズサホス（cadusafos）、ジスルホトン（dislufoton）、イソキサチオン（isoxathion）、イソフェンホス(isofenphos)、エチオン(ethion)、エトリムホス(etrimfos)、キナルホス(quinalphos)、ジメチルビンホス(dimethylvinphos)、ジメトエート(dimethoate)、スルプロホス(sulprofos)、チオメトン(thiometon)、バミドチオン(vamidothion)、ピラクロホス(pyraclofos)、ピリダフェンチオン(pyridaphenthion)、ピリミホスメチル(pirimiphos-methyl)、プロパホス(propaphos)、ホサロン(phosalone)、ホルモチオン(formothion)、マラチオン(malathion)、テトラクロルビンホス(tetrachlorvinphos)、クロルフェンビンホス(chlorfenvinphos)、シアノホス(cyanophos)、トリクロルホン(trichlorfon)、メチダチオン(methidathion)、フェントエート(phenthoate)、ＥＳＰ（オキシデプロホス、oxydeprofos）、アジンホスメチル(azinphos-methyl)、フェンチオン(fenthion)、ヘプテノホス(heptenophos)、メトキシクロル（methoxychlor）、パラチオン（parathion）、ホスホカルブ(phosphocarb)、デメトン-Ｓ-メチル（demeton-S-methyl）、モノクロトホス（monocrotophos）、メタミドホス（methamidophos）、イミシアホス（imicyafos）、パラチオン-メチル（parathion-methyl）、テルブホス（terbufos）、ホスファミドン（phosphamidon）、ホスメット（phosmet）、ホレート（phorate）、ホキシム(phoxim)、トリアゾホス（triazophos）のような有機リン酸エステル系化合物；
カルバリル（carbaryl）、プロポキスル（propoxur）、アルジカルブ（aldicarb）、カルボフラン（carbofuran）、チオジカルブ（thiodicarb）、メソミル（methomyl）、オキサミル（oxamyl）、エチオフェンカルブ（ethiofencarb）、ピリミカルブ（pirimicarb）、フェノブカルブ（fenobucarb）、カルボスルファン（carbosulfan）、ベンフラカルブ（benfuracarb）、ベンダイオカルブ（bendiocarb）、フラチオカルブ(furathiocarb)、イソプロカルブ(isoprocarb)、メトルカルブ(metolcarb)、キシリルカルブ(xylylcarb)、ＸＭＣ（３，５−キシリルメチルカルバメート、3,5-xylyl methylcarbamate）、フェノチオカルブ（fenothiocarb）のようなカーバメート系化合物；
カルタップ（cartap）、チオシクラム（thiocyclam）、ベンスルタップ（bensultap）、チオスルタップナトリウム（thiosultap-sodium）、チオスルタップジナトリウム（thiosultap-disodium）、モノスルタップ（monosultap）、ビスルタップ（bisultap）、シュウ酸水素チオシクラム（thiocyclam hydrogen oxalate）のようなネライストキシン誘導体；
ジコホル（dicofol）、テトラジホン（tetradifon）、エンドスルファン（endosulfan）、ジエノクロル（dienochlor）、ディルドリン（dieldrin）のような有機塩素系化合物；
酸化フェンブタスズ（fenbutatin oxide）、シヘキサチン（cyhexatin）のような有機金属系化合物；
フェンバレレート（fenvalerate）、ペルメトリン（permethrin）、シペルメトリン（cypermethrin）、デルタメトリン（deltamethrin）、シハロトリン（cyhalothrin）、テフルトリン（tefluthrin）、エトフェンプロックス（ethofenprox）、フルフェンプロックス（flufenprox）、シフルトリン（cyfluthrin）、フェンプロパトリン（fenpropathrin）、フルシトリネート（flucythrinate）、フルバリネート(fluvalinate)、シクロプロトリン（cycloprothrin）、ラムダシハロトリン(lambda-cyhalothrin)、ピレスリン（pyrethrins）、エスフェンバレレート（esfenvalerate）、テトラメスリン（tetramethrin）、レスメスリン（resmethrin）、プロトリフェンブト(protrifenbute)、ビフェントリン（bifenthrin）、ゼータシペルメトリン（zeta-cypermethrin）、アクリナトリン（acrinathrin）、アルファシペルメトリン（alpha-cypermethrin）、アレスリン（allethrin）、ガンマシハロトリン（gamma-cyhalothrin）、シータシペルメトリン（theta-cypermethrin）、タウフルバリネート（tau-fluvalinate）、トラロメスリン（tralomethrin）、プロフルスリン（profluthrin）、ベータシペルメトリン（beta-cypermethrin）、ベータシフルトリン（beta-cyfluthrin）、メトフルトリン（metofluthrin）、フェノトリン(phenothrin)、フルメトリン(flumethrin)、デカメトリン（decamethrin）のようなピレスロイド系化合物；
ジフルベンズロン(diflubenzuron)、クロルフルアズロン(chlorfluazuron)、テフルベンズロン(teflubenzuron)、フルフェノクスロン(flufenoxuron)、トリフルムロン(triflumuron)、ヘキサフルムロン(hexaflumuron)、ルフェヌロン(lufenuron)、ノバルロン(novaluron)、ノビフルムロン（noviflumuron）、ビストリフルロン（bistrifluron）、フルアズロン（fluazuron）のようなベンゾイルウレア系化合物；
メトプレン（methoprene）、ピリプロキシフェン（pyriproxyfen）、フェノキシカルブ（fenoxycarb）、ジオフェノラン（diofenolan）のような幼若ホルモン様化合物；
ピリダベン（pyridaben）のようなピリダジノン系化合物；
フェンピロキシメート（fenpyroximate）、フィプロニル（fipronil）、テブフェンピラド（tebufenpyrad）、エチプロール（ethiprole）、トルフェンピラド（tolfenpyrad）、アセトプロール（acetoprole）、ピラフルプロール（pyrafluprole）、ピリプロール（pyriprole）のようなピラゾール系化合物；
イミダクロプリド（imidacloprid）、ニテンピラム（nitenpyram）、アセタミプリド（acetamiprid）、チアクロプリド（thiacloprid）、チアメトキサム（thiamethoxam）、クロチアニジン（clothianidin）、ニジノテフラン（nidinotefuran）、ジノテフラン（dinotefuran）、ニチアジン(nithiazine)のようなネオニコチノイド系化合物；
テブフェノジド（tebufenozide）、メトキシフェノジド（methoxyfenozide）、クロマフェノジド（chromafenozide）、ハロフェノジド（halofenozide）のようなヒドラジン系化合物；
ピリダリル（pyridalyl）、フロニカミド（flonicamid）のようなピリジン系化合物；
スピロジクロフェン（spirodiclofen）、スピロメシフェン（spiromesifen）、スピロテトラマト（spirotetramat）、スピロピジオン（spiropidion）のような環状ケトエノール系化合物；
フルアクリピリム（fluacrypyrim）のようなストロビルリン系化合物；
フルフェネリム（flufenerim）のようなピリジナミン系化合物；
ジニトロ系化合物、有機硫黄化合物、尿素系化合物、トリアジン系化合物、ヒドラゾン系化合物、また、その他の化合物として、フロメトキン（flometoquin）、ブプロフェジン（buprofezin）、ヘキシチアゾクス（hexythiazox）、アミトラズ（amitraz）、クロルジメホルム（chlordimeform）、シラフルオフェン（silafluofen）、トリアザメイト（triazamate）、ピメトロジン（pymetrozine）、ピリミジフェン（pyrimidifen）、クロルフェナピル（chlorfenapyr）、インドキサカルブ（indoxacarb）、アセキノシル（acequinocyl）、エトキサゾール（etoxazole）、シロマジン（cyromazine）、１，３−ジクロロプロペン（1，3-dichloropropene）、ジアフェンチウロン（diafenthiuron）、ベンクロチアズ（benclothiaz）、ビフェナゼート（bifenazate）、プロパルギット（propargite）、クロフェンテジン（clofentezine）、メタフルミゾン（metaflumizone）、フルベンジアミド（flubendiamide）、シフルメトフェン（cyflumetofen）、クロラントラニリプロール（chlorantraniliprole）、シアントラニリプロール（cyantraniliprole）、シクラニリプロール（cyclaniliprole）、シエノピラフェン（cyenopyrafen）、ピリフルキナゾン（pyrifluquinazon）、フェナザキン（fenazaquin）、アミドフルメット（amidoflumet）、スルフルアミド（sulfluramid）、ヒドラメチルノン（hydramethylnon）、メタアルデヒド（metaldehyde）、リアノジン（ryanodine）、ベルブチン（verbutin）、クロロベンゾエート（chlorobenzoate）、チアゾリルシナノニトリル（thiazolylcinnanonitrile）、スルホキサフロル（sulfoxaflor）、フルエンスルホン（fluensulfone）、トリフルメゾピリム（triflumezopyrim）、アフィドピロペン（afidopyropen）、フルピラジフロン（flupyradifuron）、フルキサメタミド（fluxametamide）、テトラニリプロール（tetraniliprole）、フルララネル（fluralaner）、ブロフラニリド（broflanilide）、ピフルブミド（pyflubumide）、dicloromezotiaz、fluhexafon、チオキサザフェン（tioxazafen）、fluazaindolizine、acynonapyr、ベンズピリモキサン（benzpyrimoxan）、oxazosulfyl、flupyrimin、tyclopyrazoflorのような化合物；等が挙げられる。
【００６８】
更に、Bacillus thuringiensis aizawai、Bacillus thuringiensis kurstaki、Bacillus thuringiensis israelensis、Bacillus thuringiensis japonensis、Bacillus thuringiensis tenebrionis等のBacillus thuringiensisが生成する結晶タンパク毒素、昆虫病原ウイルス剤、昆虫病原糸状菌剤、線虫病原糸状菌剤等のような微生物農薬；アベルメクチン（avermectin）、エマメクチンベンゾエート（emamectin benzoate）、ミルベメクチン（milbemectin）、ミルベマイシン（milbemycin）、スピノサド（spinosad）、イベルメクチン（ivermectin）、レピメクチン（lepimectin）、ＤＥ−１７５、アバメクチン（abamectin）、エマメクチン（emamectin）、スピネトラム（spinetoram)のような抗生物質及び半合成抗生物質;アザディラクチン（azadirachtin）、ロテノン（rotenone）のような天然物；ディート（deet）のような忌避剤；等と、混用、併用することもできる。
【００６９】
上記他の農薬中の、殺菌剤の有効成分化合物（一般名；一部申請中を含む、又は日本植物防疫協会試験コード）としては、例えば、メパニピリム（mepanipyrim）、ピリメサニル（pyrimethanil）、シプロジニル（cyprodinil）、フェリムゾン（ferimzone）のようなアニリノピリミジン系化合物；
５−クロロ−７−（４−メチルピペリジン−１−イル）−６−（２，４，６−トリフルオロフェニル）［１，２，４］トリアゾロ［１，５−ａ］ピリミジンのようなトリアゾロピリミジン系化合物；
フルアジナム（fluazinam）のようなピリジナミン系化合物；
トリアジメホン（triadimefon）、ビテルタノール（bitertanol）、トリフルミゾール（triflumizole）、エタコナゾール（etaconazole）、プロピコナゾール（propiconazole）、ペンコナゾール（penconazole）、フルシラゾール（flusilazole）、マイクロブタニル（myclobutanil）、シプロコナゾール（cyproconazole）、テブコナゾール（tebuconazole）、ヘキサコナゾール（hexaconazole）、ファーコナゾールシス（furconazole‐cis）、プロクロラズ（prochloraz）、メトコナゾール（metconazole）、エポキシコナゾール（epoxiconazole）、テトラコナゾール（tetraconazole）、オキスポコナゾールフマル酸塩（oxpoconazole fumarate）、シプコナゾール（sipconazole）、プロチオコナゾール（prothioconazole）、トリアジメノール（triadimenol）、フルトリアホール（flutriafol）、ジフェノコナゾール（difenoconazole）、フルキンコナゾール（fluquinconazole）、フェンブコナゾール（fenbuconazole）、ブロムコナゾール（bromuconazole）、ジニコナゾール（diniconazole）、トリシクラゾール（tricyclazole）、プロベナゾール（probenazole）、シメコナゾール（simeconazole）、ペフラゾエート（pefurazoate）、イプコナゾール（ipconazole）、イミベンコナゾール（imibenconazole）のようなアゾール系化合物；
キノメチオネート（quinomethionate）のようなキノキサリン系化合物；
マンネブ（maneb）、ジネブ（zineb）、マンゼブ（mancozeb）、ポリカーバメート（polycarbamate）、メチラム（metiram）、プロピネブ（propineb）、チラム(thiram)のようなジチオカーバメート系化合物；
フサライド（fthalide）、クロロタロニル（chlorothalonil）、キントゼン（quintozene）のような有機塩素系化合物；
ベノミル（benomyl）、シアゾファミド（cyazofamid）、チオファネートメチル（thiophanate‐methyl）、カーベンダジム（carbendazim）、チアベンダゾール(thiabendazole)、フベリアゾール(fuberiazole)のようなイミダゾール系化合物；
シモキサニル（cymoxanil）のようなシアノアセトアミド系化合物；
メタラキシル（metalaxyl）、メタラキシル−Ｍ（metalaxyl-M）、メフェノキサム(mefenoxam）、オキサジキシル（oxadixyl）、オフレース（ofurace）、ベナラキシル（benalaxyl）、ベナラキシル−M（benalaxyl-M、別名キララキシル(kiralaxyl、chiralaxyl)）、フララキシル（furalaxyl）、シプロフラム（cyprofuram）、カルボキシン(carboxin)、オキシカルボキシン(oxycarboxin)、チフルザミド(thifluzamide)、ボスカリド(boscalid)、ビキサフェン(bixafen)、イソチアニル(isothianil)、チアジニル（tiadinil）、セダキサン(sedaxane)のようなアニリド系化合物；
ジクロフルアニド（dichlofluanid）のようなスルファミド系化合物；
水酸化第二銅（cupric hydroxide）、有機銅（oxine copper）のような銅系化合物；
ヒメキサゾール（hymexazol）のようなイソキサゾール系化合物；
ホセチルアルミニウム（fosetyl‐Al）、トルクロホスメチル（tolclofos‐methyl）、Ｓ−ベンジル  Ｏ，Ｏ−ジイソプロピルホスホロチオエート、Ｏ−エチル  Ｓ，Ｓ−ジフェニルホスホロジチオエート、アルミニウムエチルハイドロゲンホスホネート、エジフェンホス（edifenphos）、イプロベンホス（iprobenfos）のような有機リン系化合物；
キャプタン（captan）、キャプタホル（captafol）、フォルペット（folpet）のようなフタルイミド系化合物；
プロシミドン（procymidone）、イプロジオン（iprodione）、ビンクロゾリン（vinclozolin）のようなジカルボキシイミド系化合物；
フルトラニル（flutolanil）、メプロニル（mepronil）のようなベンズアニリド系化合物；
ペンチオピラド(penthiopyrad)、３−（ジフロロメチル）−１−メチル−Ｎ−［（１ＲＳ，４ＳＲ，９ＲＳ）−１，２，３，４−テトラヒドロ−９−イソプロピル−１，４−メタノナフタレン−５−イル］ピラゾール−４−カルボキサミドと３−（ジフロロメチル）−１−メチル−Ｎ−［（１ＲＳ，４ＳＲ，９ＳＲ）−１，２，３，４−テトラヒドロ−９−イソプロピル−１，４−メタノナフタレン−５−イル］ピラゾール−４−カルボキサミドの混合物（イソピラザム（isopyrazam））、シルチオファム（silthiopham）、フェノキサニル（fenoxanil）、フラメトピル（furametpyr）のようなアミド系化合物；
フルオピラム(fluopyram)、ゾキサミド（zoxamide）のようなベンズアミド系化合物；
トリホリン（triforine）のようなピペラジン系化合物；
ピリフェノックス（pyrifenox）のようなピリジン系化合物；
フェナリモル（fenarimol）のようなカルビノール系化合物；
フェンプロピディン（fenpropidin）のようなピペリジン系化合物；
フェンプロピモルフ（fenpropimorph）、トリデモルフ(tridemorph)のようなモルフォリン系化合物；
フェンチンヒドロキシド（fentin hydroxide）、フェンチンアセテート（fentin acetate）のような有機スズ系化合物；
ペンシキュロン（pencycuron）のような尿素系化合物；
ジメトモルフ（dimethomorph）、フルモルフ（flumorph）のようなシンナミック酸系化合物；
ジエトフェンカルブ（diethofencarb）のようなフェニルカーバメート系化合物；
フルジオキソニル（fludioxonil）、フェンピクロニル（fenpiclonil）のようなシアノピロール系化合物；
アゾキシストロビン（azoxystrobin）、クレソキシムメチル（kresoxim‐methyl）、メトミノストロビン（metominostrobin）、トリフロキシストロビン（trifloxystrobin）、ピコキシストロビン（picoxystrobin）、オリザストロビン（oryzastrobin）、ジモキシストロビン（dimoxystrobin）、ピラクロストロビン（pyraclostrobin）、フルオキサストロビン（fluoxastrobin）のようなストロビルリン系化合物；
ファモキサドン（famoxadone）のようなオキサゾリジノン系化合物；
エタボキサム（ethaboxam）のようなチアゾールカルボキサミド系化合物；
イプロバリカルブ（iprovalicarb）、ベンチアバリカルブ−イソプロピル（benthiavalicarb-isopropyl）のようなバリンアミド系化合物；
メチル  Ｎ−（イソプロポキシカルボニル）−Ｌ−バリル−（３ＲＳ）−３−（４−クロロフェニル）−β−アラニナート（valiphenalate）のようなアシルアミノアシッド系化合物；
フェナミドン（fenamidone）のようなイミダゾリノン系化合物；
フェンヘキサミド（fenhexamid）のようなハイドロキシアニリド系化合物；
フルスルファミド（flusulfamide）のようなベンゼンスルホンアミド系化合物；
シフルフェナミド（cyflufenamid）のようなオキシムエーテル系化合物；
アントラキノン系化合物；
クロトン酸系化合物；
バリダマイシン（validamycin）、カスガマイシン（kasugamycin）、ポリオキシン(polyoxins)のような抗生物質；
イミノクタジン（iminoctadine）、ドディン（dodine）のようなグアニジン系化合物；
６−ターシャリーブチル−８−フルオロ−２，３−ジメチルキノリン−４−イル  アセテート（テブフロキン(tebufloquin)）のようなキノリン系化合物；
（Ｚ）−２−（２−フルオロ−５−（トリフルオロメチル）フェニルチオ）−２−（３−（２−メトキシフェニル）チアゾリジン−２−イリデン）アセトニトリル（フルチアニル(flutianil)）のようなチアゾリジン系化合物；
その他の化合物として、ピリベンカルブ（pyribencarb）、イソプロチオラン（isoprothiolane）、ピロキロン（pyroquilon）、ジクロメジン（diclomezine）、キノキシフェン（quinoxyfen）、プロパモカルブ塩酸塩（propamocarb  hydrochloride）クロルピクリン（chloropicrin）、ダゾメット（dazomet）、メタムナトリウム塩（metam‐sodium）、ニコビフェン（nicobifen）、メトラフェノン（metrafenone）、UBF-307、ジクロシメット（diclocymet）、プロキンアジド（proquinazid）、アミスルブロム（amisulbrom；別名アミブロドール（amibromdole））、3-(2,3,4-トリメトキシ-6-メチルベンゾイル)-5-クロロ-2-メトキシ-4-メチルピリジン、4-(2,3,4-トリメトキシ-6-メチルベンゾイル)-2,5-ジクロロ-3-トリフルオロメチルピリジン、ピリオフェノン（pyriofenone）、イソフェタミド（isofetamid）マンジプロパミド（mandipropamid）、フルオピコリド(fluopicolide)、カルプロパミド（carpropamid）、メプチルジノキャップ（meptyldinocap）、スピロキサミン（spiroxamine）、フェンピラザミン（fenpyrazamine）、マンデストロビン（mandestrobin）、ZF-9646、BCF-051、BCM-061、BCM-062等が挙げられる。
【００７０】
その他、本発明化合物と混用或いは併用することが可能な農薬としては、例えば、The Pesticide Manual（第１５版）に記載されているような除草剤の有効成分化合物、特に土壌処理型のもの等がある。
【実施例】
【００７１】
次に本発明の実施例を記載するが、本発明はこれらに限定されるものではない。まず、本発明化合物の合成例を記載する。【００７２】
合成例１
４−（６−（トリフルオロメチル）ニコチンアミド）ニコチン酸メチル（化合物Ｎｏ．I−９）の合成
４−アミノ−ニコチン酸メチル（３６６ｍｇ、２．４ｍｍｏｌ）、Ｏ−（７−アザベンゾトリアゾール−１−イル）−Ｎ，Ｎ，Ｎ’，Ｎ’−テトラメチルウロニウムヘキサフルオロリン酸塩（９９７ｍｇ、２．６ｍｍｏｌ）及びトリエチルアミン（１．２２ｍＬ、８．７ｍｍｏｌ）を６−（トリフルオロメチル）ニコチン酸（４１８ｍｇ、２．２ｍｍｏｌ）のＮ，Ｎ−ジメチルホルムアミド（１５ｍＬ）溶液に加え室温で２４時間攪拌した。反応混合物を水（５０ｍＬ）に投入し、生じた固体をろ過し、目的物（４２６ｍｇ、収率６０％）を得た。【００７３】
合成例２
４−（Ｎ−エチル−６−（トリフルオロメチル）ニコチンアミド）ニコチン酸メチル（化合物Ｎｏ．I−１１）の合成
（１）４−クロロニコチン酸メチル（３．３ｇ、１９．２ｍｍｏｌ）のＮ，Ｎ−ジメチルホルムアミド（４０ｍＬ）溶液に７０％エチルアミン水溶液（９．９ｇ、１５３．９ｍｍｏｌ）を加え、７０℃で２時間攪拌した。反応混合物を水（２００ｍＬ）に投入し酢酸エチルで抽出した。有機層を飽和食塩水で洗浄し、無水硫酸ナトリウムを加え乾燥した。無水硫酸ナトリウムをろ過で取り除いた後、溶媒を減圧下留去し４−（エチルアミノ）ニコチン酸メチル（３．０ｇ、収率８７％）を得た。【００７４】
（２）テトラヒドロフラン（６ｍＬ）中の４−（エチルアミノ）ニコチン酸メチル（３００ｍｇ、１．７ｍｍｏｌ）、ジイソプロピルエチルアミン（０．８５ｍＬ、５．０ｍｍｏｌ）の混合物に６−（トリフルオロメチル）ニコチン酸クロリド（３５０ｍｇ、１．７ｍｍｏｌ）を加え、６５℃で５時間攪拌した。反応混合物を水（２０ｍＬ）に投入し、酢酸エチルで抽出した。有機層を飽和食塩水で洗浄し、無水硫酸ナトリウムを加え乾燥した。無水硫酸ナトリウムをろ過で取り除いた後、溶媒を減圧下留去した。残渣をフラッシュクロマトグラフィー（溶離液：ｎ−ヘプタン／酢酸エチル）で精製し、目的物（４３７ｍｇ、収率７４％）を得た。【００７５】
合成例３
４−（Ｎ−メトキシ−６−（トリフルオロメチル）ニコチンアミド）ニコチン酸メチル（化合物Ｎｏ．I−１３１）の合成
（１）Ｏ−メチルヒドロキシルアミン塩酸塩（８．４ｇ、１００．５ｍｍｏｌ）のＮ−メチル−２−ピロリドン（６７ｍＬ）溶液に水（１３ｍＬ）、水酸化ナトリウム（２．７ｇ、６７．０ｍｍｏｌ）、トリエチルアミン（４．７ｍＬ、３３．５ｍｍｏｌ）を順に加え室温で１５分攪拌した。得られた反応混合物中に４−クロロニコチン酸メチル（５．７５ｇ、３３．５ｍｍｏｌ）を加え７５℃で１５時間攪拌した。反応混合物を水（３００ｍＬ）に投入し酢酸エチルで抽出した。有機層を飽和食塩水で洗浄し、無水硫酸ナトリウムを加え乾燥した。無水硫酸ナトリウムをろ過で取り除いた後、溶媒を減圧下留去した。残渣をフラッシュクロマトグラフィー（溶離液：ｎ−ヘプタン／酢酸エチル）で精製し、４−（メトキシアミノ）ニコチン酸メチル（１．７ｇ、収率２８％）を得た。【００７６】
（２）テトラヒドロフラン（９ｍＬ）中の４−（メトキシアミノ）ニコチン酸メチル（５００ｍｇ、２．７ｍｍｏｌ）、ジイソプロピルエチルアミン（１．４４ｍＬ、８．２ｍｍｏｌ）の混合物に６−（（トリフルオロメチル）ニコチン酸クロリド（８６３ｍｇ、４．１ｍｍｏｌ）を加え、６５℃で１６時間攪拌した。反応混合物を水（４５ｍＬ）に投入し、酢酸エチルで抽出した。有機層を飽和食塩水で洗浄し、無水硫酸ナトリウムを加え乾燥した。無水硫酸ナトリウムをろ過で取り除いた後、溶媒を減圧下留去した。残渣をフラッシュクロマトグラフィー（溶離液：ｎ−ヘプタン／酢酸エチル）で精製し、目的物（３３０ｍｇ、収率３４％）を得た。【００７７】
次に、本発明に係る式（Ｉ）で表される化合物の代表例を第１表に挙げる。また、これらの化合物は、前記合成例或いは前記した種々の製造方法に基づいて合成することができる。第１表中、物性欄に記載の数値は融点（℃）を示し、「NMR」と記載した化合物についてはそれらの１Ｈ−ＮＭＲスペクトルデータを第２表に挙げる。【００７８】
尚、第１表中のNo.は化合物番号を示す。
また、表中、Ｍｅはメチル基を、Ｅｔはエチル基を、Ｐｒはプロピル基を、Ｂｕはブチル基を、「ｃｙｃ−」は「シクロ」を、「ｉ−」は「イソ」を、「ｔ−」は「ターシャリー」を、「ｎ−」は「ノルマル」を各々表す。
また、（Ｒ２）ｍの欄において、例えば「６−ＮＨ２」と記載された化合物は、表中の化学構造式に付与した置換位置のみがＲ２で置換されていること、即ち、６位のみがアミノにて置換されている「ｍ＝１」の化合物であることを表す。一方、「ｍ＝０」と記載された化合物は、Ｒ２にて置換されていない化合物であることを表す。他の同様の記載もこれに準じる。
化合物Ｎｏ．Ｉ−５４の１Ｈ−ＮＭＲスペクトルは、光学異性体の混合物としてそれぞれのピークが測定された。【００７９】
【表１】
2018199175.tif 000009
【００８０】
【表２】
2018199175.tif 000010
【００８１】
【表３】
2018199175.tif 000011
【００８２】
【表４】
2018199175.tif 000012
【００８３】
【表５】
2018199175.tif 000013
【００８４】
【表６】
2018199175.tif 000014
【００８５】
【表７】
2018199175.tif 000015
【００８６】
【表８】
2018199175.tif 000016
【００８７】
【表９】
2018199175.tif 000017
【００８８】
【表１０】
2018199175.tif 000018
【００８９】
【表１１】
2018199175.tif 000019
【００９０】
試験例１  トビイロウンカに対する効果試験
本発明化合物の濃度が２００ｐｐｍとなるよう調製した薬液に、イネ幼苗を浸漬処理した。薬液が風乾した後に、湿った脱脂綿で根部を包んで試験管に入れた。この中にトビイロウンカ２〜３齢幼虫を約１０頭放虫し、管口をガーゼでふたをして２５℃の照明付恒温室内に静置した。処理５日後にトビイロウンカの生死を判定し、下記の計算式により死虫率（％）を求めた。前記化合物Ｎｏ．Ｉ‐４、Ｉ‐８、Ｉ‐９、Ｉ‐１０、Ｉ‐１１及びＩ‐９４について試験した結果、いずれの化合物も９０％以上の死虫率を示した。
死虫率（％）＝（死虫数／放虫数）×１００【００９１】
試験例２  タバココナジラミに対する効果試験
ポット植えのキュウリ苗にタバココナジラミ成虫を放虫した。１日間産卵させた後、キュウリ苗を取り出して２５℃の照明付恒温室内に静置した。７日後、キュウリ苗に寄生している１〜２齢幼虫数を調査し、本発明化合物の濃度が２００ｐｐｍとなるよう調製した薬液を、ハンドスプレーを用いて散布処理した。薬液が風乾した後に、２５℃の照明付恒温室内に静置した。処理７日後に老齢幼虫数を調査し、下記計算式により防除価を求めた。前記化合物Ｎｏ．Ｉ‐７、Ｉ‐８、Ｉ‐９、Ｉ‐１０、Ｉ‐１１、Ｉ‐１２、Ｉ‐１３、Ｉ‐１５、Ｉ‐２５、Ｉ‐２７、Ｉ‐２９、Ｉ‐３０及びＩ‐９４について試験した結果、いずれの化合物も９０以上の防除価を示した。
防除価＝（１−（Ｔａ×Ｃｂ）／（Ｔｂ×Ｃａ））×１００
Ｔａ：処理キュウリ苗における処理後の老齢幼虫数
Ｔｂ：処理キュウリ苗における処理前の１〜２齢幼虫数
Ｃａ：無処理キュウリ苗における処理後の老齢幼虫数
Ｃｂ：無処理キュウリ苗における処理前の１〜２齢幼虫数【００９２】
試験例３  モモアカアブラムシに対する効果試験
試験管に水挿ししたダイコン葉上にモモアカアブラムシ成虫を５頭放虫した。１日後に成虫を取り除いた後、ダイコン葉上に寄生している幼虫数を数え、本発明化合物の濃度が２００ｐｐｍとなるように調製した薬液に浸漬処理した。薬液が風乾した後に、２５℃の照明付恒温室内に静置した。処理５日後にモモアカアブラムシの生死を判定し、下記の計算式により死虫率を求めた。尚、離脱虫及び異常虫は死亡虫とみなした。前記化合物Ｎｏ．Ｉ‐３、Ｉ‐７、Ｉ‐８、Ｉ‐９、Ｉ‐１０、Ｉ‐１１、Ｉ‐１５、Ｉ‐２５、Ｉ‐３０及びＩ‐９４について試験した結果、いずれの化合物も９０％以上の死虫率を示した。
死虫率（％）＝（死虫数／供試虫数）×１００【００９３】
次に製剤例を記載する。
製剤例１
（１）本発明化合物 ２０重量部
（２）クレー ７０重量部
（３）ホワイトカーボン ５重量部
（４）ポリカルボン酸ナトリウム  ３重量部
（５）アルキルナフタレンスルホン酸ナトリウム  ２重量部
以上のものを均一に混合して水和剤とする。【００９４】
製剤例２
（１）本発明化合物 ５重量部
（２）タルク ６０重量部
（３）炭酸カルシウム  ３４．５重量部
（４）流動パラフィン  ０．５重量部
以上のものを均一に混合して粉剤とする。【００９５】
製剤例３
（１）本発明化合物 ２０重量部
（２）Ｎ,Ｎ−ジメチルアセトアミド ２０重量部
（３）ポリオキシエチレントリスチリルフェニルエーテル １０重量部
（４）ドデシルベンゼンスルホン酸カルシウム  ２重量部
（５）キシレン ４８重量部
以上のものを均一に混合、溶解して乳剤とする。【００９６】
製剤例４
（１）クレー ６８重量部
（２）リグニンスルホン酸ナトリウム ２重量部
（３）ポリオキシエチレンアルキルアリールサルフェート ５重量部
（４）ホワイトカーボン ２５重量部
以上の各成分の混合物と、本発明化合物とを４：１の重量割合で混合し、水和剤とする。【００９７】
製剤例５
（１）本発明化合物 ５０重量部
（２）アルキルナフタレンスルホン酸ナトリウムホルムアルデヒド縮合物  ２重量部
（３）シリコーンオイル ０．２重量部
（４）水 ４７．８重量部
以上のものを均一に混合、粉砕した原液に更に
（５）ポリカルボン酸ナトリウム ５重量部
（６）無水硫酸ナトリウム ４２．８重量部
を加え均一に混合、造粒、乾燥して顆粒水和剤とする。【００９８】
製剤例６
（１）本発明化合物 ５重量部
（２）ポリオキシエチレンオクチルフェニルエーテル １重量部
（３）ポリオキシエチレンアルキルエーテルリン酸エステル ０．１重量部
（４）粒状炭酸カルシウム ９３．９重量部
前記（１）〜（３）を予め均一に混合し、適量のアセトンで希釈した後、前記（４）に吹付け、アセトンを除去して粒剤とする。【００９９】
製剤例７
（１）本発明化合物 ２．５重量部
（２）Ｎ,Ｎ−ジメチルアセトアミド ２．５重量部
（３）大豆油 ９５．０重量部
以上のものを均一に混合、溶解して微量散布剤(ultra low volume formulation)とする。【０１００】
製剤例８
（１）本発明化合物 １０重量部
（２）ジエチレングリコールモノエチルエーテル ８０重量部
（３）ポリオキシエチレンアルキルエーテル  １０重量部
以上の成分を均一に混合し、液剤とする。【０１０１】
本発明を詳細に、また特定の実施態様を参照して説明したが、本発明の精神と範囲を逸脱することなく様々な変更や修正を加えることができることは当業者にとって明らかである。本出願は２０１７年４月２７日出願の日本特許出願（特願２０１７−０８８８４７）に基づくものであり、その内容はここに参照として取り込まれる。
【国際調査報告】
2018199175.tif 000022
2018199175.tif 000023
2018199175.tif 000024
2018199175.tif 000025